【手続補正書】
【提出日】平成15年3月19日(2003.3.19)
【手続補正１】
【補正対象書類名】明細書
【補正対象項目名】特許請求の範囲
【補正方法】変更
【補正の内容】
【特許請求の範囲】
【請求項１】
固有の内部の電気的及び／又は磁気的又は音響的特徴の形の個人の提示された身体部位により発出されるエネルギーを感知して固有の提示されたバイオメトリック署名を測定する機構、個人の既知のバイオメトリック署名と提示されたバイオメトリック署名を比較して個人の認証を決定する機構、及び認証されるとアクションを許可する許可機構を含んで成る、個人を認証して個人のアクションを許可する装置。
【請求項２】
個人の非特定的な肉体的特徴を検知して追加的に個人の生死（ｖｉａｂｉｌｉｔｙ）を判定する手段を含んでいる、請求項１に記載の装置。
【請求項３】
固有のバイオメトリック署名及び非特定的特徴の両方を感知する手段が単一のセンサである、請求項２に記載の装置。
【請求項４】
前記感知機構が、個人が触れると提示されたバイオメトリック署名を生成する複数のセンサを有するカード、及びカードを読み取り個人からバイオメトリック署名を認識するカード読取り装置を含んで成る、請求項１〜３のいずれか１項に記載の装置。
【請求項５】
前記読取り装置が、現在のバイオメトリック署名を既知のバイオメトリック署名と比較して個人を認識するマイクロプロセッサを含む、請求項４に記載の装置。
【請求項６】
前記カードが第１の面及び第２の面を有し、前記複数のセンサが、個人の指が接触する第１の面上の複数の指電極と、個人の親指が接触する第２の面上の親指電極を含む、請求項５に記載の装置。
【請求項７】
前記カードが既知のバイオメトリック署名を含むカードメモリを含み、前記読み取り装置が前記カードメモリから既知のバイオメトリック署名を読み取るメモリ読み取り機構を含む、請求項４〜６のいずれか１項に記載の装置。
【請求項８】
前記読み取り装置が、カードメモリのバイオメトリック署名を読み取る前提条件として、ＰＩＮを入力するＰＩＮ入力機構を含む、請求項７に記載の装置。
【請求項９】
前記感知機構が、個人の身体セグメントが置かれて個人のバイオメトリック署名を得るゾーンを持つタッチレス機構を含む、請求項１〜８のいずれか１項に記載の装置。
【請求項１０】
前記タッチレス機構が、個人のバイオメトリック署名を得るために前記ゾーンに電場及び／又は磁場を発生する電場及び／又は磁場発生手段を含む、請求項９に記載の装置。
【請求項１１】
前記タッチレス機構が、個人のバイオメトリック署名を得るために前記ゾーンに音場を発生する音場発生機構を有する、請求項１０に記載の装置。
【請求項１２】
前記タッチレス機構が、バイオメトリック署名を得るために個人に誘起された電流を測定するタッチレス電場センサ、及び既知のバイオメトリックを保存するメモリを有するカードを含み、前記感知機構がカードから既知のバイオメトリック署名を得る読み取り機構を有する、請求項９に記載の装置。
【請求項１３】
前記感知手段が、個人のバイオメトリック署名を得るために個人が接触するタッチ機構を含む、請求項１に記載の装置。
【請求項１４】
前記タッチ機構が、個人が触れると提示されたバイオメトリック署名を得る電極を含む、請求項１３に記載の装置。
【請求項１５】
前記タッチ機構が前記電極を具備するカードを含む、請求項１４に記載の装置。
【請求項１６】
前記感知機構が、個人を認識すると操作可能にされる常態操作不可能装置と連結されている請求項１〜１５のいずれか１項に記載の装置。
【請求項１７】
前記常態操作不可能装置が開放用ハンドルを持つ旋錠ドアであり、前記感知機構が個人が接触すると提示されたバイオメトリック署名を得るドアハンドルと連結されたタッチ機構を含む、請求項１６に記載の装置。
【請求項１８】
前記常態操作不可能装置が開放用ハンドルを有する旋錠ドアであり、前記感知機構が、開放用ハンドルが設けられかつ個人の身体セグメントが置かれると提示されたバイオメトリック署名を得るゾーンを有するタッチレス機構を含む、請求項１６に記載の装置。
【請求項１９】
前記常態操作不可能装置がメモリデータ記憶区分を有するコンピュータであり、提示されたバイオメトリック署名を認識すると、本装置はコンピュータと操作可能に協働して選択されたデータ記憶区分にアクセスすることを許可する、請求項１６に記載の装置。
【請求項２０】
個人の既知のバイオメトリック署名を含む電子パスポート、及び提示されたバイオメトリック署名と比較するために既知のバイオメトリック署名を読み取り、提示されたバイオメトリック署名を認識すると個人が税関を通過することを許可するパスポート読み取り機構を含む、請求項４〜８及び１７〜１９のいずれか１項に記載の装置。
【請求項２１】
前記常態操作不可能装置が電極が設けられたアクセスハンドルを有する常態旋錠ドアであり、前記感知機構が、個人がハンドルを握ったり接触したときに電極から提示されたバイオメトリック署名を読み取る読み取り機構であり、既知のバイオメトリック署名を有するメモリと個人が認証されたときにロックを解除する手段とを含む、請求項１６に記載の装置。
【請求項２２】
前記常態操作不可能装置が許可手段で操作されるドアであり、数値式キーパッドを含み、前記メモリが個人と結び付けられた所定のエントリコードを有し、ドアの解錠のためにはバイオメトリック署名比較からの個人の認識と所定のエントリコードの入力が必要である、請求項２１に記載の装置。
【請求項２３】
前記ドアハンドルが電極と協働して提示されたバイオメトリック署名を得るための音響トランスデューサを有する親指フラップを有する、請求項２２に記載の装置。
【請求項２４】
前記ドアが、キー錠穴に所定のキーを挿入し、かつバイオメトリック署名比較による個人の認識がされたときにロックが操作可能にされるものである、請求項２３に記載の装置。
【請求項２５】
音響トランスデューサが個人の親指から提示されるバイオメトリック署名を得、音響トランスデューサに接続された親指フラップ読取り機構を含み、メモリが所定のバイオメトリック親指署名を含み、許可装置がバイオメトリック親指署名比較から個人を認識したときに前記ドア解錠手段がロック解錠する、請求項２３に記載の装置。
【請求項２６】
ドアが、キー錠穴に所定のキーを挿入し、かつバイオメトリック親指指紋署名比較で個人を認識したときに、操作可能にされるロックを有する、請求項２５に記載の装置。
【請求項２７】
個人を認証することにより個人のアクションを許可する方法であって、固有の内部の電気的及び／又は磁気的、又は音響的な特徴の形の個人の提示された身体部位から発出されるエネルギーを感知して固有の提示されたバイオメトリック署名を決定するステップ、提示されたバイオメトリック署名を個人の既知のバイオメトリック署名と比較するステップ、バイオメトリック署名の比較により個人の認証を決定するステップ、及び認証されるとアクションを許可するステップを含む方法。
【請求項２８】
既知のバイオメトリック署名を保持しかつセンサを有するカードに接触し、固有の電気的及び／又は磁気的又は音響的特徴を感知して、固有の提示されたバイオメトリック署名を発生するステップと、既知のバイオメトリック署名と比較して個人の認証とアクションを許可するステップを含む、請求項２７に記載の方法。
【請求項２９】
前記アクションがデータベースへのアクセスである、請求項２７に記載の方法。
【請求項３０】
前記アクションがギャンブル及び／又はかけ又はゲームをすることである、請求項２７に記載の方法。
【請求項３１】
前記アクションがユーティリティボックスへのアクセスである、請求項２７に記載の方法。
【請求項３２】
前記アクションがユーティリティメータへのアクセスである、請求項２７に記載の方法。
【請求項３３】
前記アクションが料金の支払いである、請求項２７に記載の方法。
【請求項３４】
前記アクションが乗物又は乗物ルートへのアクセスである、請求項２７に記載の方法。
【請求項３５】
前記アクションが通信装置へのアクセスである、請求項２７に記載の方法。
【請求項３６】
前記アクションがテレビのチャンネルへのアクセスである、請求項２７に記載の方法。
【請求項３７】
前記アクションが図書館その他のソースから物体をチェックアウトすることである、請求項２７に記載の方法。
【請求項３８】
前記アクションが飛行機、船舶、地下鉄又は列車などの輸送乗物にのることである、請求項２７に記載の方法。
【請求項３９】
前記アクションが、個人の既知のバイオメトリック署名を含む運転免許証に交通違反召喚状又は交通違反を適用することであり、さらに、免許証から既知のバイオメトリック署名を読み取るステップ、提示されたバイオメトリック署名を既知のバイオメトリック署名と比較するステップ、バイオメトリック署名が個人を認証した場合に個人の免許証に交通違反召喚状又は交通違反を記録するステップを含む、請求項２７に記載の方法。
【請求項４０】
前記アクションが、個人の金融取引行為を可能にすることである、請求項２７に記載の方法。
【請求項４１】
前記アクションが財政資金／政府給付金を管理することであり、個人が認証されたときに口座内の資金／給付金の残高を調整するステップを含む、請求項２７に記載の方法。
【請求項４２】
前記アクションが出入り旋錠された区域にアクセスすることであり、個人が認証されたときに当該区域へのアクセスが解錠されるステップを含む、請求項２７に記載の方法。
【請求項４３】
前記区域が旋錠された出入り用ドアを有する部屋である、請求項４２に記載の方法。
【請求項４４】
前記アクションが、コンピュータの予め許可されたデータ記憶区分にアクセスすることである、請求項２７に記載の方法。
【請求項４５】
前記アクションがコンピュータネットワークのセグメントへアクセスすることである、請求項２７に記載の方法。
【請求項４６】
前記アクションが、コンピュータソフトウェアへのアクセスである、請求項２７に記載の方法。
【請求項４７】
前記アクションが、出入りの旋錠された保管区域内に保管されている薬物にアクセスすることである、請求項２７に記載の方法。
【請求項４８】
前記アクションがメモリに記憶されている電気記録にアクセスすることであり、個人の前頭上に配置されたセンサで個人の指示されたバイオメトリック署名を感知することである、請求項２７に記載の方法。
【請求項４９】
前記アクションが地上乗物、航空機又は船舶へのアクセスである、請求項２７に記載の方法。
【請求項５０】
前記アクションがエンジン、アクセスキー及び錠穴を持つ乗物を操作することであり、キーを錠穴に挿入し、バイオメトリック署名比較により個人を認証するとエンジンの操作を可能にするステップを含む、請求項２７に記載の方法。
【請求項５１】
前記アクションが挿入キー及び錠穴を持つロックを有する区域へのアクセスであり、キー挿入と個人のバイオメトリック署名比較による認証がされると区域への進入を可能にするステップを含む、請求項２７に記載の方法。
【請求項５２】
前記アクションがバイオメトリック署名比較により個人を認証したとき制御信号を生成しリモートコントローラに送ることである、請求項２７に記載の方法。
【請求項５３】
前記アクションが、個人の位置を監視することであり、提示されたバイオメトリック署名を感知するためデバイスを個人に提供し、提示されたバイオメトリック署名を含む信号を送信機から離れた位置に認証のために送信するステップを含む、請求項２７に記載の方法。
【請求項５４】
前記信号にバイオメトリック機構に固有のＩＤを含めるステップをさらに含む、請求項５３に記載の方法。
【請求項５５】
前記アクションが個人の位置を追跡することであり、個人にＧＰＳを提供するステップ、及びＧＰＳ位置信号を提示されたバイオメトリック署名と共に送信して個人の位置を確認するステップを含む、請求項５３に記載の方法。
【請求項５６】
前記アクションがＡＴＭへのアクセスである、請求項２７に記載の方法。
【請求項５７】
個人を認証した後、既知のバイオメトリック署名を提示されたバイオメトリック署名で置き換えるステップをさらに含む、請求項２７に記載の方法。
【請求項５８】
旋錠ドアのドアハンドルに設けた電極に接触して提示されたバイオメトリック署名を入手するステップ、及び個人が認証されたときドアを解錠するステップをさらに含む、請求項２７に記載の方法。
【請求項５９】
旋錠ドアに連結された数値式キーパッドに進入コードを入力するステップ、及び個人の認証とキーパッドへの所定の進入コードの入力の場合のみドアを解錠するステップを含む、請求項５８に記載の方法。
【請求項６０】
ドアハンドルの親指フラップの音響トランスデューサに個人が接触して提示されたバイオメトリック署名を提示するステップを含む、請求項５８に記載の方法。
【請求項６１】
ドアのロックの錠穴にキーを挿入するステップ、及びバイオメトリック署名比較により個人が認証されたときロックを解除するステップを含む、請求項６０に記載の方法。
【請求項６２】
提示された親指バイオメトリック署名を既知の親指バイオメトリック署名と比較するステップ、及びその親指バイオメトリック署名比較から個人が認証されたときドアを解錠するステップを含む、請求項６０に記載の方法。
【請求項６３】
個人の非特定の肉体的特徴を感知して個人の生死を追加的に決定するステップを含む、請求項２７に記載方法。
【請求項６４】
単一のセンサを用いて固有のバイオメトリック署名と非特定の肉体的特徴の両方を感知する、請求項６３に記載の方法。
【請求項６５】
特定の固有の特徴が音響的である、請求項６４に記載の方法。
【手続補正２】
【補正対象書類名】図面
【補正対象項目名】図１５８
【補正方法】変更
【補正の内容】
【図１５８】
2003524476.tif 000001
【手続補正３】
【補正対象書類名】図面
【補正対象項目名】図１６４
【補正方法】変更
【補正の内容】
【図１６４】
2003524476.tif 000002
【手続補正４】
【補正対象書類名】図面
【補正対象項目名】図１７６
【補正方法】変更
【補正の内容】
【図１７６】
2003524476.tif 000003
【手続補正５】
【補正対象書類名】図面
【補正対象項目名】図１８６
【補正方法】変更
【補正の内容】
【図１８６】
2003524476.tif 000004